(57)【要約】【課題】従来のネイルアート具は、爪に細かい模様をきれいに施すことが難しいので、細かい模様でも美しいネイルアート装飾が行えるネイルアートプリンターを提供する。【解決手段】台座２の上面の中ほどに軸基部１１を設け、その軸基部１１の一方側に模様プレート４を載置し、他方側に指保持溝７を設けて成る前記軸基部１１を支点として、可動基部１５の下部にスタンプ１３、を上部につまみ１４を有する転写部材１２を、可動支軸をもって前記した模様プレート４及び指保持溝７側のいずれにも可倒自在に軸止したネイルアートプリンター１を構成する。【選択図】図１
0003103100.tif 000002
【実用新案登録請求の範囲】
【請求項１】
指の爪にネイルアートするプリンターであって、台座の上面の中ほどに軸基部を設け、その軸基部の一方側に模様プレートを載置し、他方側に指保持溝を設けて成る前記軸基部を支点として、可動基部の下部にスタンプを有する転写部材を、可動支軸をもって、前記した模様プレートと指保持溝のいずれの側にも可倒自在に軸止して成る構成を特徴とするネイルアートプリンター。
【請求項２】
上記するネイルアートプリンターに、別体のヘラを組み合わせて成る請求項１に記載するネイルアートプリンター。
【考案の詳細な説明】
【技術分野】
【０００１】  本考案は、爪を装飾するネイルアートを、初心者でもきれいにかつ容易に施すことができるネイルアートプリンターに関する。
【背景技術】
【０００２】  従来、女性の指の爪を装飾するためにマニュキアをすることは古くから行われいるが、最近は、さらに細かい模様や図柄などを塗るネイルアートを楽しむ女性が多くなっている。その方法としては、模様を切り抜いた抜き型を爪に当ててから、その上からマニキュア液を塗布してから抜き型を取り外すことで、爪に細かな模様や図柄等のネイルアート装飾を楽しむ方法がある。【０００３】  またこれ以外には、専用のネイルアートを行える器具の技術として、上面の一方に指固定くぼみを、他方側に模様プレート固定くぼみを有する台座を形成し、その台座面に対して近接離間自在の転写部材とマニキュア液付与部材とを、前記指固定くぼみと模様プレート固定くぼみとを結ぶ方向に沿って設けるとともに、前記指固定くぼみと模様プレート固定くぼみとを結ぶ方向に移動可能に前記台座上に配置される移動部材とからなるネイルアート台の技術がある。（例えば、特許文献１参照）
【特許文献１】特開２００３−９９３８号公報（第２−３頁、図１）
【考案の開示】
【考案が解決しようとする課題】
【０００４】  上記するようなネイルアートの方法やネイルアート台なる技術があり、いずれも目的とする一定の効果はある。しかし模様を切り抜いた抜き型を爪に当ててから、その上からマニキュア液を塗る方法は、抜き型を動かさないようにしながら塗布する必要があるので面倒でもあり、初心者が一人できれいに塗ることは難しかった。またマニキュアは液体であるので、抜き型の下側に流れ込むとにじんだりするため、細かい模様などはきれいにネイルアートすることができないなどの不便や欠点がある。【０００５】  さらに特開２００３−９９３８号に開示されるネイルアート台は、ネイルアートを専用に行える器具であり、上面の一方に指固定くぼみを、他方側に模様プレート固定くぼみを有する台座を形成し、その台座面に転写部材とマニキュア液付与部材とを備えた移動部材を組み合わせたネイルアート台であるが、まず模様プレートにマニキュア液を付与する方法は、マニキュア液を付けたマニキュア付与部材により、印鑑のような凸状の模様に形成された模様に付与し、それを転写部材に写し取る方式であるが、マニキュア液は垂れやすいので模様以外の他の部分にもマニキュア液が付着されるが、その余分なマニキュア液を除く手段がないため、転写部材に写し取られた模様がきれいに写し取れないことはもとより、爪に転写された模様もそのままプリントされるため、特に細かい模様などはきれいにネイルアートすることができない不便や欠点がある。仮に、模様が凹版のように溝状であっても、余分なマニキュア液を除去するヘラが組み合わされていないので同様の不便や欠点を有するネイルアート台の技術である。
【課題を解決するための手段】
【０００６】  上記する従来の不便や欠点を解消するために、請求項１においては、台座の上面の中ほどに軸基部を設け、その軸基部の一方側に模様プレートを載置し、他方側に指保持溝を設けて成る前記軸基部を支点として、可動基部の下部にスタンプを、上部につまみを設けた転写部材を、可動支軸をもって前記した模様プレートと指保持溝側のいずれにも可倒自在に形成したネイルアートプリンターとすることで、前記した模様プレートに塗布したマニキュア液の模様を写し取ることはもとより、そのまま転写部材を反転するだけで容易に爪にネイルアートを行うことができる構成とする。【０００７】  請求項２においては、上記するネイルアートプリンターに、模様プレートに塗布した余分なマニキュア液を除去する専用のヘラを組み合わせることで、細かい模様でもきれいに写し取れるようにする。
【考案の効果】
【０００８】  本考案におけるネイルアートプリンターは、台座の中ほどに支点となる軸基部を設け、その一方に模様プレートを載置し、他方側に指保持溝を形成した前記軸基部に、模様プレート及び指保持溝いずれの側にも倒せる可動転写部材を設けたシンプルな形態であるので、初心者でも容易にして簡単扱えるネイルアートプリンターを構成する。【０００９】  したがって爪にネイルアートを施したい場合は、模様プレートの好みの模様部位を軸基部側に位置したうえで、好きな色のマニキュア液を模様部に垂らしてからヘラで余分なマニキュア液を除いて後に、前記する可動転写部材を押し付けると、スタンプ面にきれいに模様を写し取れるとともに、その可動転写部材を他方の指保持溝に位置した指側に倒して押し付けるだけで、スタンプ面のマニキュア液模様をきわめて簡単に爪に転写してネイルアート装飾することができるため、初心者でも細かい模様のネイルアートを美しくスピィーディーに施して楽しむことができる。
【考案を実施するための最良の形態】
【００１０】  台座の中ほどに軸基部を設けた一方に模様プレートを位置し、他方側に指保持溝を設けた前記軸基部に、模様プレート及び指保持溝のいずれの側にも可倒できる可動転写部材を形成することで、マニキュア液による模様を簡単に写し取るとともに、反転するだけで爪にきれいに転写できる形態とする。
【実施例】
【００１１】  本考案のネイルアートプリンターの実施例を、図１に示す斜視図と図２に示す模様プレートにマニキュア液を塗布する状態を示す要部拡大断面図、図３に示す分解斜視図及び図４〜図５に示す使用状態を示す参考図を参照して説明する。【００１２】  ネイルアートプリンター１は、略楕円状を成す台座２の上面一方側に、ごく浅い溝による凹版状に施される複数個の異なる模様３を付けた模様プレート４が収まるくぼみ５付き凹部６を設け、その凹部６に前記した模様プレート４を載置し、他方側には指保持溝７を設け、その奥に指を支持するガイド板８とそれに連動する調節ダイヤル９を台座２の側部に設ける。【００１３】  次に、台座２の中ほどに軸穴１０を有する軸基部１１を取り付け、その軸基部１１を支点として、可動転写部材１２となる、下部にゴム素材等の軟質素材によるスタンプ１３を、上部につまみ１４を設けた軸穴１０付き可動基部１５の両側に、上下に２本の軸棒１６，１６を有する可動支軸１７下部の軸棒１６にバネ１８を介在させた後、前記した軸基部１１と可動基部１５とを軸棒１６，１６で連結した軸棒１６，１６端部に、ネジ穴１９，１９付き可動支軸１７をネジ２０止めして、可動転写部材１２が模様プレート４及び指保持溝７いずれの側にも可倒自在に軸止形成する。【００１４】  さらに上記した指保持溝７部の台座２面には、ネイルアートのプリント位置を示す目印線２１を表示するとともに、台座２の側部には、別途に形成されるマニキュア液Ａを除去するためのヘラ２２を収納できる引き出し２３を設けて、本考案によるネイルアートプリンター１を構成する。【００１５】  本考案は上記するようなネイルアートプリンター１を構成するので、使用する際はくぼみ５に指を入れて模様プレート４つまんでから、好みの模様３部位を軸基部１１寄りの写し取り位置に載置したうえで、図２のイ図のように模様３部にマニキュア液Ａを塗ってから、別体のヘラ２２を用いて余分なマニキュア液Ａを除去すると、ロ図のような状態でマニキュア液Ａは模様３の溝部にのみ残る。【００１６】  次に、ネイルアートしたい指を反対側の指保持溝７に収めてから、調節ダイヤル９を動かしながらプリントしたい爪Ｂの位置を目印線２１を目安にガイド板９を設定する。そのうえで、図４のように可動転写部材１２のつまみ１４を掴んで模様プレート４側に倒して押すと、可動基部１５下部に位置するスタンプ１３面に模様３部の溝にあるマニキュア液Ａの模様を写し取れる。次に、可動転写部材１２を反対の指側に倒すと、前記したスタンプ１３面に写し取ったマニキュア液Ａによる模様を爪Ｂに容易に転写してネイルアートＣすることができる。尚、可動転写部材１２は下部の軸棒１６にバネ１８を介在しているので、使用しない時は常に垂直状態に保持される。【００１７】  本考案は以上のようなネイルアートプリンター１を構成するが、台座２とその上面に位置する軸基部１１は別体の物を組み合わせているが、一体形成しても差し支えないものである。またガイド板８は調節ダイヤル９で動かすタイプであるが、ガイド板８につまみを付けて指でスライドさせる方式でも構わないものであり、いずれも特に限定されるものではない。
【産業上の利用可能性】
【００１８】  模様プレートの模様をさらに大きくするとともに、指保持溝側を平面状に形成することにより、封書に押す封印器具としても適用することができる。
【図面の簡単な説明】
【００１９】
【図１】本考案のネイルアートプリンターを示す斜視図である。
【図２】模様プレートにマニキュア液を塗布する図であり、イ図は塗布した状態で、ロ図は余分なマニキュア液を除去した状態を示す拡大断面図である。
【図３】ネイルアートプリンター本体を示す分解斜視図である。
【図４】模様プレートから模様をスタンプに写し取る状態を示す参考図である。
【図５】写し取った模様を爪にネイルアートする状態を示す参考図である。
【符号の説明】
【００２０】  １  ネイルアートプリンター
２  台座
３  模様
４  模様プレート
５  くぼみ
６  凹部
７  指保持溝
８  ガイド板
９  調節ダイヤル
１０  軸穴
１１  軸基部
１２  可動転写部材
１３  スタンプ
１４  つまみ
１５  可動基部
１６  軸棒
１７  可動支軸
１８  バネ
１９  ネジ穴
２０  ネジ
２１  目印線
２２  ヘラ
２３  引き出し
Ａ  マニキュア液
Ｂ  爪
Ｃ  ネイルアート
【図１】
0003103100.tif 000003
【図２】
0003103100.tif 000004
【図３】
0003103100.tif 000005
【図４】
0003103100.tif 000006
【図５】
0003103100.tif 000007